(57)【要約】  フレーム側に仮止めクリップを止めるための孔を別途設けずに、且つクリップのような仮止め具の破損の可能性が少ないアンテナ取付装置を提供する。  アンテナ取付装置１は、アンテナ素子（パッチアンテナ９）を保持し、フレームに固定されたボルトによって固定されるブラケット２を備える。ブラケット２におけるフレームと対向する第１面に設けられ、ボルトを仮止めするホルダー６を備える。ブラケット２には、ホルダー６を保護する保護部材（壁８）が設けられ、保護部材の第１面からフレームがある側に突出する長さは、ホルダーのフレームと対向する面と第１面の長さよりも長い。ホルダー６は、樹脂若しくはゴムで構成される。
2018147258.tif 000002
【特許請求の範囲】
【請求項１】
アンテナ素子を含むアンテナ装置を構成する電子部品の少なくとも一部を保持し、フレームに固定されたボルトによって固定されるブラケットと、
前記ブラケットにおける前記フレームと対向する第１面に設けられ、前記ボルトを仮止めするホルダーとを備えることを特徴とするアンテナ取付装置。
【請求項２】
前記ブラケットには、前記ホルダーを保護する保護部材が設けられ、
前記保護部材の前記第１面から前記フレームがある側に突出する長さは、前記ホルダーの前記フレームと対向する面と前記第１面との間の長さよりも長いことを特徴とする請求項１に記載のアンテナ取付装置。
【請求項３】
前記ホルダーにおける少なくとも前記ボルトと接触する領域は、樹脂若しくはゴムで構成されることを特徴とする請求項１または請求項２に記載のアンテナ取付装置。
【請求項４】
前記ブラケットと前記ホルダーの少なくとも一方には、前記ホルダーにおける少なくとも前記ボルトと接触する領域が、前記フレームと離れた状態を維持するスペーサーが設けられることを特徴とする請求項１に記載のアンテナ取付装置。
【請求項５】
前記ブラケットには、前記ボルトが通るボルト孔が設けられ、
前記ブラケットと前記ホルダーとが並べられる上下方向から見て、前記ボルト孔における前記ホルダーを構成する部材が重ならない領域の前記上下方向と垂直な１つの方向の寸法は、前記ボルトの呼び径と同じかそれよりも短いことを特徴とする請求項１に記載のアンテナ取付装置。
【請求項６】
前記ブラケットには、前記ボルトが通るボルト孔が設けられ、
前記ホルダーには、梁部が設けられ、
前記梁部と前記ブラケットの間には隙間が設けられ、
前記ブラケットと前記ホルダーとが並べられる上下方向から見て、前記ボルト孔における前記梁部と重ならない領域の前記上下方向と垂直な１つの方向の寸法は、前記ボルトの呼び径と同じかそれよりも短いことを特徴とする請求項１に記載のアンテナ取付装置。
【発明の詳細な説明】
【技術分野】
【０００１】
本発明は、アンテナ取付装置に関する。
【背景技術】
【０００２】
従来、特許文献１のように、仮止めクリップのような仮止め具を用いて、ボルトが固定されたフレームにアンテナ装置を仮止めすることが出来るアンテナ取付装置が提案されている。
【先行技術文献】
【特許文献】
【０００３】
【特許文献１】特開２００８−４２３７３号公報
【発明の概要】
【発明が解決しようとする課題】
【０００４】
しかしながら、フレーム側に仮止めクリップ（仮止め具）を止めるための孔を別途設ける必要がある。また、取り付け時や取り外し時に仮止め具が破損しないように注意する必要がある。【０００５】
したがって本発明の目的は、フレーム側に仮止めクリップを止めるための孔を別途設けずに、且つクリップのような仮止め具の破損の可能性が少ないアンテナ取付装置を提供することである。
【課題を解決するための手段】
【０００６】
本発明に係るアンテナ取付装置は、アンテナ素子を含むアンテナ装置を構成する電子部品の少なくとも一部を保持し、フレームに固定されたボルトによって固定されるブラケットと、ブラケットにおけるフレームと対向する第１面に設けられ、ボルトを仮止めするホルダーとを備える。【０００７】
ブラケットに取り付けられたホルダーをボルトに仮止めさせることで、ブラケットがフレームに仮止めされるので、仮止めクリップ用の孔などをフレームに設けずに、簡単に仮止めを行うことが出来る。【０００８】
ホルダーは、ブラケットのフレームと対向する第１面、すなわち、ブラケットにおけるボルトに装着するナットと接触する面と反対側に設けられるため、ホルダーがナットと接触しない。
このため、ホルダーをブラケットにおける第１面と反対側の面に設ける形態に比べて、ボルトをナットで締める際にホルダーが破損する可能性を低くすることが出来る。【０００９】
ホルダーの厚み分だけ、アンテナ素子を低い位置で保持出来、アンテナ取付装置にパッチアンテナなどのアンテナ素子を搭載し、アンテナ取付装置を車両のフロントガラス（リアガラス）の天井フレームに取り付けた場合に、アンテナ素子の周囲（特に上方向）の金属遮蔽物との物理的な干渉を避けやすくなる。【００１０】
好ましくは、ブラケットには、ホルダーを保護する保護部材が設けられ、保護部材の第１面からフレームがある側に突出する長さは、ホルダーのフレームと対向する面と第１面との間の長さよりも長い。【００１１】
ホルダーがフレームと接触しない状態でブラケットとフレームの間に位置する（保護部材がホルダーを保護する）ことで、保護部材を設けない形態に比べて、ボルトをナットで締める際に破損する可能性を更に低くすることが出来る。【００１２】
保護部材の厚み分だけ、アンテナ素子を低い位置で保持出来、アンテナ取付装置にパッチアンテナなどのアンテナ素子を搭載し、アンテナ取付装置を車両のフロントガラス（リアガラス）の天井フレームに取り付けた場合に、アンテナ素子の周囲（特に上方向）の金属遮蔽物との物理的な干渉を避けやすくなる。【００１３】
また、好ましくは、ホルダーにおける少なくともボルトと接触する領域は、樹脂若しくはゴムで構成される。【００１４】
ホルダーにおける少なくともボルトと接触する領域が樹脂やゴムなどで構成された場合には、金属で構成された場合に比べて、取り外しが容易に出来る他、ボルトを傷つけにくい。【００１５】
また、好ましくは、ブラケットとホルダーの少なくとも一方には、ホルダーにおける少なくともボルトと接触する領域が、フレームと離れた状態を維持するスペーサーが設けられる。【００１６】
また、好ましくは、ブラケットには、ボルトが通るボルト孔が設けられ、ブラケットとホルダーとが並べられる上下方向から見て、ボルト孔におけるホルダーを構成する部材が重ならない領域の上下方向と垂直な１つの方向の寸法は、ボルトの呼び径と同じかそれよりも短い。【００１７】
また、好ましくは、ブラケットには、ボルトが通るボルト孔が設けられ、ホルダーには、梁部が設けられ、梁部とブラケットの間には隙間が設けられ、ブラケットとホルダーとが並べられる上下方向から見て、ボルト孔における梁部と重ならない領域の上下方向と垂直な１つの方向の寸法は、ボルトの呼び径と同じかそれよりも短い。【００１８】
以上のように本発明によれば、フレーム側に仮止めクリップを止めるための孔を別途設けずに、且つクリップのような仮止め具の破損の可能性が少ないアンテナ取付装置を提供することができる。
【図面の簡単な説明】
【００１９】
【図１】本実施形態における、アンテナ取付装置の斜視図で上方から見たものである。
【図２】アンテナ取付装置の斜視図で下方から見たものである。
【図３】ホルダーの斜視図で下方から見たものある。
【図４】アンテナ取付装置の上面図である。
【図５】図４におけるホルダーがある領域を拡大した上面図である。
【図６】アンテナ取付装置の側面図で、壁（保護部材）の図示を省略したものである。
【図７】図６におけるホルダーがある領域を拡大した側面図である。
【図８】アンテナ取付装置を天井フレームに仮止めする前の状態の斜視図である。
【図９】図４のＡ−Ａ断面で、アンテナ取付装置を天井フレームに仮止めした状態を示す図である。
【図１０】図４のＢ−Ｂ断面図である。
【図１１】図４のＢ−Ｂ断面で、アンテナ取付装置を天井フレームに仮止めした状態を示す図である。
【図１２】ホルダーの第１変形例を示す上面図である。
【図１３】ホルダーの第２変形例を示す上面図である。
【図１４】ホルダーの第３変形例を示す上面図である。
【図１５】突出領域（スペーサー）が設けられたホルダーがある領域を拡大した側面図である。
【発明を実施するための形態】
【００２０】
以下、本実施形態について、図１〜図１１を用いて説明する。本実施形態におけるアンテナ取付装置１は、例えば図８に示すように、パッチアンテナ９などのアンテナ装置を、車両の天井フレーム１１であって固定ボルト１２とツメ孔１３が設けられた領域の下面に取り付ける為に用いられる。
【００２１】
なお、方向を説明するため、アンテナ取付装置１の長手方向（左右方向、天井フレーム１１の固定ボルト１２が取り付けられる孔とツメ孔１３が並べられる方向）がｘ方向であり、ｘ方向と垂直な水平方向（前後方向）がｙ方向であり、ｘ方向とｙ方向と垂直な鉛直方向がｚ方向であるとして説明する。
【００２２】
アンテナ取付装置１は、例えば図１に示すように、ブラケット２、及びホルダー（仮止め具）６を備える。
【００２３】
ブラケット２は、パッチアンテナ９などのアンテナ素子を含むアンテナ装置を構成する電子部品の少なくとも一部を保持し、天井フレーム１１に固定されたボルト１２によって固定される。ブラケット２は、例えば図２に示すように、ｘ方向に延びる略矩形形状の金属板で、アンテナケース２ａ、ツメ３、固定ボルト孔４、フック孔５、壁（保護部材）８を含む。
ただし、ブラケット２を構成する金属板の形状は、略矩形形状に限らず、他の形状であってもよい。
また、ブラケット２におけるアンテナケース２ａとツメ３と固定ボルト孔４の位置関係は、下記の例に限るものではない。
【００２４】
ホルダー６は、ブラケット２における天井フレーム１１と対向する第１面に設けられ、ボルト１２を仮止めする。ホルダー６は、例えば図１に示すように、ブラケット２の上面（天井フレーム１１と対向する第１面）で且つ、少なくとも一部がｚ方向から見て固定ボルト孔４と重なるように固定ボルト孔４の近傍に設けられる。ホルダー６は、例えば図３に示すように、端部６ａ、梁部６ｂ、フック７を含む。
ホルダー６は、図９に示すように、固定ボルト１２のねじ山と係合し、当該係合により、固定ボルト１２を仮止めするために用いられる。ホルダー６は、例えば金属で構成されてもよいが、樹脂またはゴムで構成されるのが望ましい。
また、少なくともホルダー６の後述する内部スペース１０近傍の部分（ホルダー６における固定ボルト１２と接触する領域）が樹脂またはゴムで構成され、ホルダー６の他の部分は金属等の樹脂またはゴム以外で構成されていてもよい。
【００２５】
図１に示すように、ブラケット２の具体的な構成について説明する。
【００２６】
ブラケット２のｘ方向の一方の端部の下面には、アンテナケース２ａが設けられ、内部にパッチアンテナ９が保持される。
本実施形態では、アンテナケース２ａに保持されるパッチアンテナ９には、他の車両や衛星などからの信号を受信するアンテナ素子だけでなく、当該アンテナ素子で得られた信号を増幅するアンプや、当該アンテナ素子や当該アンプを実装する基板など、アンテナ装置を構成する電子部品も含まれるものとして説明する。しかしながら、アンテナ装置を構成する電子部品の一部がアンテナケース２ａに保持され、残りがブラケット２以外の他の部材に保持される形態であってもよい。
また、パッチアンテナ９に代えて、別の線状アンテナのアンテナ素子などがアンテナケース２ａに保持される形態であってもよい。
【００２７】
ブラケット２のｘ方向の他方の端部の上面には、ｙ方向から見て略Ｌ字形状のツメ３が設けられる。
ツメ３は、ブラケット２と一体的に形成されるが、取り外し可能な形態であってもよい。
【００２８】
ブラケット２におけるアンテナケース２ａが設けられた領域とツメ３が設けられた領域の間には、固定ボルト孔４が設けられる。固定ボルト孔４には、固定ボルト１２が挿入される。固定ボルト１２は、ｚ方向下向きに突出する状態で、天井フレーム１１に取り付けられる。
図１１に示すように、固定ボルト孔４のｙ方向の寸法ｄ１は、固定ボルト１２の呼び径（雄ねじの外形基準寸法）ｄ２よりも長い。また、図５に示すように、固定ボルト孔４のｘ方向の寸法ｄ４は、固定ボルト孔４のｙ方向の寸法ｄ１よりも長い。
ただし、固定ボルト孔４のｘ方向の寸法ｄ４は、固定ボルト１２の呼び径ｄ２よりも長ければよく、固定ボルト孔４のｙ方向の寸法ｄ１よりも短くてもよい。
【００２９】
図２に示すように、ブラケット２における固定ボルト孔４が設けられた領域のｘ方向の両端には、ホルダー６に設けられたフック７が通るフック孔５が設けられる。
【００３０】
図１や図４に示すように、ブラケット２における固定ボルト孔４が設けられた領域のｙ方向の両端には、ｚ方向上向きに突出する壁８が設けられる。
図１０に示すように、壁８は、ブラケット２と一体的に形成される。壁８は、ブラケット２を天井フレーム１１に螺合させた時に、ブラケット２の上面と天井フレーム１１とが一定距離（後述する第１高さｈ１）だけ離れ、ホルダー６における固定ボルト１２と接触する領域が天井フレーム１１と離れた状態を維持するスペーサーとして使用される。
【００３１】
壁８におけるブラケット２の上面から天井フレーム１１がある側（ｚ方向上向き）に突出する長さ（第１高さｈ１）は、ホルダー６の天井フレーム１１と対向する面とブラケット２の上面との間の長さ（端部６ａの高さ（第２高さｈ２））よりも長い（ｈ１＞ｈ２）。
【００３２】
壁８のような保護部材は、ブラケット２におけるｙ方向の端部に設けられる形態に限られない。例えば、ブラケット２の上面から天井フレーム１１がある側に第１高さｈ１だけ突出する突起若しくは壁が複数設けられる形態であってもよい。
また、壁８がブラケット２から取り外し可能な形態であってもよい。
【００３３】
ツメ３と、固定ボルト孔４の中心とのｘ方向の距離は、天井フレーム１１に取り付けられた固定ボルト１２の中心と天井フレーム１１に設けられたツメ孔１３のｘ方向の距離とほぼ等しくなるように、ブラケット２における固定ボルト孔４などの位置関係や寸法が決定される。
【００３４】
次に、ホルダー６の具体的な構成について説明する。
【００３５】
図３に示すように、ホルダー６は、ｘ方向の両端に肉厚の端部６ａと、端部６ａの間で且つ上部に端部６ａよりも薄い２つの梁部６ｂを有する。
２つの梁部６ｂのそれぞれは、２つの端部６ａによって保持される両端固定梁を構成する。
ｚ方向から見て、端部６ａと梁部６ｂで囲まれた領域に、内部スペース１０が形成される。
ホルダー６は、上方から見て略中空矩形形状（略矩形形状の外形を有し、中央に長孔形状や長円形状を含む略矩形形状の内部スペース１０が設けられた形状）で、ｙ方向から見て略凹形状が上下逆になった形状を有する。
【００３６】
端部６ａには、ｚ方向下向きに延びるフック７が設けられる。図６に示すように、フック７がブラケット２のフック孔５に上方から挿入され掛け止めされることで、ホルダー６がブラケット２の上面に取り付けられる。
図７に示すように、ホルダー６がブラケット２に取り付けられた時に、端部６ａはブラケット２の上面に接触し、梁部６ｂとブラケット２の上面との間には隙間６ｃが形成される。
【００３７】
図１０や図１１に示すように、ホルダー６の各部の寸法や、ホルダー６とブラケット２の位置関係は、ｚ方向から見て固定ボルト孔４における内部スペース１０と重なる領域のｙ方向の寸法（２つの梁部６ｂのｙ方向の間隔）ｄ３が、固定ボルト孔４のｙ方向の寸法ｄ１よりも短く、且つ固定ボルト１２の呼び径ｄ２と略同じかそれよりも短くなるように決定される（ｄ３≦ｄ２＜ｄ１）。
【００３８】
また、梁部６ｂのそれぞれは、ｚ方向から見て、一部が固定ボルト孔４と重なる位置関係にある。
【００３９】
端部６ａの一方における梁部６ｂが取り付けられていない領域で、且つ端部６ａの他方と対向する側、は、固定ボルト１２のねじ山の間隔と同等かそれ以下の厚さで、先端が尖ったテーパー形状を有してもよい。また、端部６ａの他方における梁部６ｂが取り付けられていない領域で、且つ端部６ａの一方と対向する側は、固定ボルト１２のねじ山の間隔と同等かそれ以下の厚さで、先端が尖ったテーパー形状を有してもよい（図９参照）。
梁部６ｂの一方における梁部６ｂの他方と対向する側は、固定ボルト１２のねじ山の間隔と同等かそれ以下の厚さで、先端が尖ったテーパー形状を有するのが望ましい。また、梁部６ｂの他方における梁部６ｂの一方と対向する側は、固定ボルト１２のねじ山の間隔と同等かそれ以下の厚さで、先端が尖ったテーパー形状を有するのが望ましい（図１０参照）。
【００４０】
本実施形態では、フック孔５とフック７を用いて、ホルダー６がブラケット２に取り付けられる形態を示す。しかしながら、ワッシャーを介したネジ止めでボルダー６がブラケット２に取り付けられもよい。
この場合、ワッシャーの厚さを変えることで、梁部６ｂとブラケット２の上面の間隔（隙間６ｃの寸法）を調整出来る。これによって、様々な形状の固定ボルト１２の仮止めに対応してホルダー６とブラケット２の位置関係などを調整出来る。
【００４１】
次に、アンテナ取付装置１を天井フレーム１１に取り付ける手順を説明する。
予め、アンテナ取付装置１におけるアンテナケース２ａには、パッチアンテナ９が取り付けられ、ブラケット２の上面には、ホルダー６が取り付けられている。
【００４２】
作業者は、例えば図９に示すように、ツメ３を、天井フレーム１１のツメ孔１３に挿入して、掛け止めする。そして作業者は、掛け止めした状態で、ブラケット２の上面を天井フレーム１１の下面に近づけて、天井フレーム１１に取り付けられた固定ボルト１２をホルダー６の孔（内部スペース１０）や固定ボルト孔４に挿入する。本実施形態では、例えば図１０や図１１に示すように、ホルダー６の孔（内部スペース１０）のｙ方向の寸法ｄ３は、固定ボルト１２の呼び径ｄ２と略同じかそれよりも短くなっている。すなわち、ホルダー６の２つの梁部６ｂのｙ方向の間隔は、固定ボルト１２の呼び径ｄ２と略同じかそれよりも短くなっている。しかし、少なくとも２つの梁部６ｂは弾性変形する（撓む）ことができるため、固定ボルト１２は、ホルダー６の２つの梁部６ｂを互いに離間する方向に弾性変形させ（撓ませ）ながら、ホルダー６の孔（内部スペース１０）に挿入される。
【００４３】
ホルダー６の梁部６ｂが固定ボルト１２に弾性変形した状態で接して、ホルダー６が固定ボルト１２を保持する状態（仮止め状態）となるため、作業者が手を離してもブラケット２は天井フレーム１１から落ちない。さらに、内部スペース１０の外形の一部を形成する梁部６ｂにおける先端が尖ったテーパーの部分が、固定ボルト１２におけるねじ山の間に入り込むため、ホルダー６が確実に固定ボルト１２を保持することが出来る。
【００４４】
その後、作業者が、固定ボルト１２におけるブラケット２の下面から突出した部分にナット１４を螺合させて、アンテナ取付装置１の天井フレーム１１への取り付けが完了する。
【００４５】
ブラケット２に取り付けられたホルダー６を固定ボルト１２に仮止め（係合）させることで、ブラケット２が天井フレーム１１に仮止めされる。これにより、例えば作業者は、仮止めクリップ用の孔などを天井フレーム１１に設けずに、簡単に仮止めを行うことが出来る。
【００４６】
また、ホルダー６は、ブラケット２の上面（天井フレーム１１と対向する第１面）に設けられる。すなわち、ホルダー６は、ブラケット２におけるナット１４と接触する下面と反対側に設けられるため、ホルダー６がナット１４と接触しない。
このため、ホルダー６をブラケット２の下面に設け、ホルダー６がナット１４と接する形態に比べて、固定ボルト１２をナット１４で締める際にホルダー６が破損する可能性を低くすることが出来る。
【００４７】
また、壁（保護部材）８におけるブラケット２の上面から天井フレーム１１がある側（ｚ方向上向き）に突出する長さ（第１高さｈ１）が、ホルダー６の天井フレーム１１と対向する面とブラケット２の上面との間の長さ（端部６ａの高さ（第２高さｈ２））よりも長い。
ホルダー６が天井フレーム１１と接触しない状態でブラケット２と天井フレーム１１の間に位置することで、壁８のような保護部材を設けない形態に比べて、固定ボルト１２をナット１４で締める際にホルダー６が破損する可能性を更に低くすることが出来る。
【００４８】
ホルダー６における梁部６ｂは、端部６ａよりも薄く、梁部６ｂとブラケット２の間に隙間６ｃが設けられた状態で、端部６ａに保持される。また、ホルダー６における梁部６ｂは、梁部６ｂにおける内部スペース１０の外形を形成する部分に先端が尖った形状を有する。このため、当該先端の尖った部分が固定ボルト１２のねじ山の間に入り込んで、ホルダー６が固定ボルト１２を保持しやすく出来る。
【００４９】
また、梁部６ｂが端部６ａよりも薄いので、梁部６ｂは端部６ａよりも撓みやすい。このため、固定ボルト１２が内部スペース１０を通りやすく且つ抜けやすい状態で、固定ボルト１２を保持出来、仮止め完了後でも修理などでの取り外しを容易に出来る。
特に、ホルダー６における固定ボルト１２と接触する領域が樹脂やゴムなどで構成された場合には、金属で構成された場合に比べて、取り外しが容易に出来る他、固定ボルト１２を傷つけにくい。
また、ブラケット２の上面と梁部６ｂとの間には隙間６ｃが設けられ、梁部６ｂはブラケット２と離れた状態にある。このため、２つの梁部６ｂの間に固定ボルト１２が挿入されたときに、２つの梁部６ｂが互いに離間する方向に撓みやすくなる。また、２つの梁部６ｂが固定ボルト１２の挿入によってブラケット２の固定ボルト孔４に引き込まれて固定ボルト１２と固定ボルト孔４との間に挟まれることを防止できる。さらに、経年劣化などにより梁部６ｂがブラケット２などと固着するのを防止することも可能になる。
【００５０】
また、ホルダー６や壁８の厚み分（ｚ方向の寸法分）だけ、ブラケット２が低い位置に配置される。これによって、アンテナケース２ａを低い位置に配置出来る。
アンテナケース２ａを低く配置出来れば、アンテナケース２ａにパッチアンテナ９などのアンテナ素子を搭載し、アンテナ取付装置１を車両のフロントガラス（リアガラス）の天井フレーム１１に取り付けた場合に、アンテナ素子の周囲（特に上方向）の金属遮蔽物との物理的な干渉を避けやすくなる。
【００５１】
なお、ホルダー６は、２つの梁部６ｂのそれぞれが、２つの端部６ａによって保持される両端固定梁を構成し、２つの端部６ａと２つの梁部６ｂが上面視略中空矩形形状を形成するものに限定されるものではない。
【００５２】
例えば、２つの梁部６ｂのそれぞれが、１つの端部６ａによって保持される片持ち梁を構成し、１つの端部６ａと２つの梁部６ｂが上面視略Ｕ字形状を形成する第１変形例（図１２参照）であってもよい。また、１つの梁部６ｂが、２つの端部６ａによって保持される両端固定梁を構成し、２つの端部６ａと１つの梁部６ｂが上面視略Ｕ字形状を形成する第２変形例（図１３参照）であってもよい。また、１つの梁部６ｂが、２つの端部６ａによって保持される両端固定梁を構成し、２つの端部６ａと１つの梁部６ｂが上面視略Ｉ字形状を形成し、当該上面視略Ｉ字形状のものが２つ設けられた第３変形例（図１４参照）であってもよい。
【００５３】
梁部６ｂが２つ設けられた形態（図１２、図１４参照）の場合には、２つの梁部６ｂが固定ボルト１２と係合するように、ｚ方向から見て固定ボルト孔４における内部スペース１０と重なる領域のｙ方向の寸法（２つの梁部６ｂのｙ方向の間隔）ｄ３が、固定ボルト孔４のｙ方向の寸法ｄ１よりも短く、且つ固定ボルト１２の呼び径ｄ２と略同じかそれよりも短くなるように、ホルダー６の各部の寸法や、ホルダー６とブラケット２の位置関係が決定される（ｄ３≦ｄ２＜ｄ１）。
【００５４】
梁部６ｂが１つ設けられた形態（図１３参照）の場合には、１つの梁部６ｂと固定ボルト孔４が固定ボルト１２と係合するように、ｚ方向から見て固定ボルト孔４における内部スペース１０と重なる領域のｙ方向の寸法ｄ３が、固定ボルト孔４のｙ方向の寸法ｄ１よりも短く、且つ固定ボルト１２の呼び径ｄ２と略同じかそれよりも短くなるように、ホルダー６の各部の寸法や、ホルダー６とブラケット２の位置関係が決定される（ｄ３≦ｄ２＜ｄ１）。
【００５５】
すなわち、ｚ方向（上下方向）から見て固定ボルト孔４における梁部６ｂと重ならない領域のｙ方向（上下方向と垂直な１つの方向）の寸法は、固定ボルト孔４の呼び径ｄ２と略同じかそれよりも短い。
【００５６】
なお、円形若しくは略楕円形状若しくは略矩形形状の孔で構成される固定ボルト孔４は、当該円形若しくは略楕円形状若しくは略矩形形状の領域を含む切り欠きであってもよい。
この場合でも、２つの梁部６ｂが固定ボルト１２と係合するように、ｚ方向から見て当該切り欠きにおける内部スペース１０と重なる領域のｙ方向の寸法が、固定ボルト１２の呼び径ｄ２と略同じかそれよりも短くなるように、ホルダー６の各部の寸法や、ホルダー６とブラケット２の位置関係が決定される。若しくは、１つの梁部６ｂと当該切り欠きが固定ボルト１２と係合するように、ｚ方向から見て当該切り欠きにおける内部スペース１０と重なる領域のｙ方向の寸法が、固定ボルト１２の呼び径ｄ２と略同じかそれよりも短くなるように、ホルダー６の各部の寸法や、ホルダー６とブラケット２の位置関係が決定される。
【００５７】
また、壁８のような保護部材をブラケット２に設ける形態に加えて若しくは代えて、ホルダー６における端部６ａと梁部６ｂの少なくとも一方に、梁部６ｂの上面よりも天井フレーム１１がある側に突出する部材（突出部材６１）を設けてもよい。この場合、ブラケット２を天井フレーム１１に螺合させた時に、当該突出部材６１がホルダー６における固定ボルト１２と接触する領域が天井フレーム１１と離れた状態を維持するスペーサーとして使用され、当該領域を保護する形態であってもよい（図１５参照）。
当該突出部材６１は、ホルダー６と別体で構成される形態であってもよいし、ホルダー６と一体で構成される形態であってもよい。
【符号の説明】
【００５８】
１  アンテナ取付装置
２  ブラケット
２ａ  アンテナケース
３  ツメ
４  固定ボルト孔
５  フック孔
６  ホルダー（仮止め具）
６ａ  端部
６ｂ  梁部
６ｃ  隙間
６１  突出部材（スペーサー）
７  フック
８  壁（保護部材）
９  パッチアンテナ
１０  内部スペース
１１  天井フレーム
１２  固定ボルト
１３  ツメ孔
１４  ナット
ｄ１  固定ボルト孔のｙ方向の寸法
ｄ２  固定ボルトの呼び径
ｄ３  ｚ方向から見て固定ボルト孔における内部スペースと重なる領域のｙ方向の寸法
ｄ４  固定ボルト孔のｘ方向の寸法
ｈ１  第１高さ
ｈ２  第２高さ
【図１】
2018147258.tif 000003
【図２】
2018147258.tif 000004
【図３】
2018147258.tif 000005
【図４】
2018147258.tif 000006
【図５】
2018147258.tif 000007
【図６】
2018147258.tif 000008
【図７】
2018147258.tif 000009
【図８】
2018147258.tif 000010
【図９】
2018147258.tif 000011
【図１０】
2018147258.tif 000012
【図１１】
2018147258.tif 000013
【図１２】
2018147258.tif 000014
【図１３】
2018147258.tif 000015
【図１４】
2018147258.tif 000016
【図１５】
2018147258.tif 000017
【国際調査報告】
2018147258.tif 000018
2018147258.tif 000019
2018147258.tif 000020
2018147258.tif 000021